(57)【特許請求の範囲】
【請求項１】
サーバ端末によって実施されるキーワード提示方法であって、
検索ページの提示要求を受信するステップであって、前記提示要求が対象位置情報を備える、前記受信するステップと；
前記対象位置情報に適合する第１の領域内の第１の条件を満たす検索人気度を有するキーワードを取得し、第１のキーワードとして前記取得したキーワードを使用するステップと；
前記対象位置情報に適合する第２の領域内の第２の条件を満たす頻度指数を有するサービス提供者の予め設定された情報を取得し、第２のキーワードとして前記取得した予め設定された情報を使用するステップと；
ユーザが前記第１のキーワード及び前記第２のキーワードに基づいて検索を実行できるように、前記第１のキーワード及び前記第２のキーワードを前記検索ページ内に提示するステップと；を備える、
キーワード提示方法。
【請求項２】
前記サービス提供者の取得した位置情報に従って、複数の地理グリッドを生成するステップであって、各地理グリッドは１つ又は複数のサービス提供者を含む、前記生成するステップを更に備え、
前記対象位置情報に適合する前記第２の領域は、前記対象位置情報により定義される領域の地理グリッドを備える、
請求項１に記載のキーワード提示方法。
【請求項３】
前記対象位置情報がどの地理グリッドにも属さない場合には、前記対象位置情報に適合する前記第２の領域は、前記対象位置情報に近接する１つ又は複数の地理グリッドを備える、
請求項２に記載のキーワード提示方法。
【請求項４】
前記対象位置情報がどの地理グリッドにも属さない場合には、前記対象位置情報に適合する前記第２の領域は、前記第１の領域である、
請求項２に記載のキーワード提示方法。
【請求項５】
前記サービス提供者の位置情報に従って、複数の地理グリッドを生成する前記ステップは、ＧｅｏＨａｓｈアルゴリズムを介し、前記サービス提供者の前記取得した位置情報に従って、前記複数の地理グリッドを生成するステップを備える、
請求項２〜請求項４のいずれか１項に記載のキーワード提示方法。
【請求項６】
ＴＦ‐ＩＤＦアルゴリズムに従って、各サービス提供者の頻度指数を計算するステップを更に備える、
請求項２〜請求項５のいずれか１項に記載のキーワード提示方法。
【請求項７】
前記検索人気度は、予め設定された期間内の検索回数又は検索頻度を備える、
請求項１〜請求項６のいずれか１項に記載のキーワード提示方法。
【請求項８】
前記対象位置情報は、現在の位置情報又はユーザが選択した位置情報を備える、
請求項１〜請求項７のいずれか１項に記載のキーワード提示方法。
【請求項９】
前記第１の領域は、前記対象位置情報により定義される地理的領域を備える、
請求項１〜請求項８のいずれか１項に記載のキーワード提示方法。
【請求項１０】
前記対象位置情報により定義される領域は、対象位置を含む領域を備える、
請求項２又は請求項９に記載の方法。
【請求項１１】
前記サービス提供者の前記予め設定された情報は、前記サービス提供者の名前を備える、
請求項１〜請求項１０のいずれか１項に記載の方法。
【請求項１２】
請求項１〜請求項１１のいずれか１項に記載の方法を実行するように構成された、複数のユニット（部）を備える、
キーワード提示装置。
【発明の詳細な説明】
【技術分野】
【０００１】
本願は、２０１５年６月１９日に提出され「キーワード提示方法及び装置」と題された中国特許出願第２０１５１０３４６５１３．２号の優先権を主張し、上記中国特許出願は参照によってその全体が本願に組み込まれる。
【０００２】
本願は、通信技術の分野に関し、特に、キーワード提示方法及び装置に関する。
【背景技術】
【０００３】
インターネット技術の急速な発達により、多種多様な情報を、ネットワークを介して取得する人がますます増加している。例えば、ユーザは、モバイル端末又はＰＣ端末の検索エンジンを使用して情報を検索できる。検索体験を如何に向上させるかが、解決すべき緊急の課題である。
【発明の概要】
【０００４】
これに鑑み、本願はキーワードの提示方法及び提示装置を提供する。
具体的には、本願は以下の技術的解決策を用いて実施される。
【０００５】
キーワード提示方法が提供され、本方法は：
検索ページの提示要求を受信するステップであって、前記提示要求が対象位置情報を含む、受信するステップと；
前記対象位置情報に適合する第１の領域内の第１の条件を満たす検索人気度を有するキーワードを、第１のキーワードとして取得するステップと；
前記第１のキーワードを前記検索ページ内に提示するステップと；を備える。
【０００６】
任意で、前記方法は：
前記対象位置情報に適合する第２の領域内の第２の条件を満たす頻度指数を有するサービス提供者の予め設定された情報を第２のキーワードとして取得するステップと；
前記第１のキーワード及び前記第２のキーワードを前記検索ページ内に提示するステップと；を更に備える。
【０００７】
任意で、前記方法は：
取得した前記サービス提供者の位置情報に従って複数の地理グリッドを生成するステップであって、各地理グリッドは１つ又は複数のサービス提供者を含む、生成するステップを更に備え、
前記対象位置情報に適合する前記第２の領域は、前記対象位置情報が属する地理グリッドである。
【０００８】
任意で、前記対象位置情報がどの地理グリッドにも属さない場合には、前記対象位置情報に適合する前記第２の領域は：
前記対象位置情報に近接する１つ又は複数の地理グリッドである。
【０００９】
任意で、前記対象位置情報がどの地理グリッドにも属さない場合には、前記対象位置情報と適合する前記第２の領域は：
前記第１の領域である。
【００１０】
任意で、前記サービス提供者の位置情報に従って複数の地理グリッドを生成する前記ステップは：
ＧｅｏＨａｓｈアルゴリズムを介し、前記サービス提供者の前記取得した位置情報に従って、前記複数の地理グリッドを生成するステップを備える。
【００１１】
任意で、前記方法は：
ＴＦ‐ＩＤＦアルゴリズムに従って各サービス提供者の頻度指数を計算するステップを更に備える。
【００１２】
任意で、前記検索人気度は、予め設定された期間内の検索回数又は検索頻度である。
【００１３】
任意で、前記対象位置情報は、現在の位置情報又はユーザが選択した位置情報である。
【００１４】
任意で、前記第１の領域は、前記対象位置情報が属する地理的領域である。
【００１５】
キーワード提示装置が提供され、本装置は：
検索ページの提示要求を受信するように構成された要求受信部であって、前記提示要求が対象位置情報を含む、要求受信部と；
前記対象位置情報に適合する第１の領域内の第１の条件を満たす検索人気度を有するキーワードを、第１のキーワードとして取得するように構成された第１の取得部と；
前記第１のキーワードを前記検索ページ内に提示するように構成されたページ提示部と；を備える。
【００１６】
任意で、前記装置は：
前記対象位置情報に適合する第２の領域内の第２の条件を満たす頻度指数を有するサービス提供者の予め設定された情報を、第２のキーワードとして取得するように構成された第２の取得部を更に備え、
前記ページ提示部は、前記第１のキーワード及び前記第２のキーワードを前記検索ページ内に提示するように更に構成される。
【００１７】
任意で、前記装置は：
前記サービス提供者の取得した位置情報に従って、複数の地理グリッドを生成するように構成されたグリッド生成部であって、各地理グリッドは１つ又は複数のサービス提供者を含む、グリッド生成部を更に備え；
前記対象位置情報に適合する前記第２の領域は、前記対象位置情報が属する地理グリッドである。
【００１８】
任意で、前記対象位置情報がどの地理グリッドにも属さない場合には、前記対象位置情報に適合する前記第２の領域は：
前記対象位置情報に近接する１つ又は複数の地理グリッドである。
【００１９】
任意で、前記対象位置情報がどの地理グリッドにも属さない場合には、前記対象位置情報に適合する前記第２の領域は：
前記第１の領域である。
【００２０】
任意で、前記グリッド生成部は、具体的には、ＧｅｏＨａｓｈアルゴリズムを介し、前記サービス提供者の前記取得した位置情報に従って、前記複数の地理グリッドを生成するように構成される。
【００２１】
任意で、指数演算部は、各サービス提供者の頻度指数をＴＦ‐ＩＤＦアルゴリズムに従って計算するように構成される。
【００２２】
任意で、前記検索人気度は、予め設定された期間内における検索回数又は検索頻度である。
【００２３】
任意で、前記対象位置情報は、現在の位置情報、又は、ユーザが選択した位置情報である。
【００２４】
任意で、前記第１の領域は、前記対象位置情報が属する地理的領域である。
【００２５】
本願は対象位置情報に適合する第１の領域内の第１の条件を満たす検索人気度を有するキーワードを第１のキーワードとして使用できることが、先の説明から分かる。これにより、種々のキーワードを種々の対象位置に基づいてユーザに提示できるので、カスタマイズされたキーワード提示を実現でき、キーワード提示の的確性が向上し、ユーザの検索体験は更に向上する。
【図面の簡単な説明】
【００２６】
【図１】本願の例示の実施の形態によるキーワード提示方法のフローチャートである。
【図２】本願の例示の実施の形態による他のキーワード提示方法のフローチャートである。
【図３】本願の例示の実施の形態によるキーワード提示の適用シナリオの概略図である。
【図４】本願の例示の実施の形態による他のキーワード提示方法のフローチャートである。
【図５】本願の例示の実施の形態によるサーバ端末の概略構成図である。
【図６】本願の例示の実施の形態によるキーワード提示装置の概略構成図である。
【発明を実施するための形態】
【００２７】
例示的な実施の形態を本明細書で詳細に説明し、その例を添付の図面に示す。添付の図面に関連する以下の説明において、異なる図面における同一の番号は、特に断らない限り、同一又は類似の要素を示す。以下の例示的な実施の形態に記載される実施の形態は、本願と一致する全ての実施の形態を表すものではない。むしろ、それらは、添付の特許請求の範囲に詳述されている本願のいくつかの態様と一致する装置及び方法の単なる例である。
【００２８】
本願で用いる用語は特定の実施の形態を記述するために用いられているにすぎず、本願を限定するものではない。文脈中で特に明記しない限り、本願及び付帯の請求項で用いる「ａ／ａｎ」、「ｔｈｅ」、「ｔｈｉｓ」などの、単数表現の名詞及び同様な指示語の使用は、文脈において別段の意味として明確に特定されない限りは複数形も含むものとする。ここで用いる用語「及び／又は（ａｎｄ／ｏｒ）」は、列挙された１つ以上の関連する事項の任意又は全ての可能な組み合わせを包含することも理解されたい。
【００２９】
本願では、用語「第１の」、「第２の」、「第３の」などを用いて様々な情報を説明しているが、このような情報はこれらの用語に限定されるものではないことを理解されたい。これらの用語は、同じタイプの情報を区別するためだけの理由で用いられている。例えば、第１の情報は本願の範囲から逸脱せずに第２の情報として言及することもでき、又、同様に、第２の情報は第１の情報として言及することもできる。ここで用いる「の場合（ｉｆ）」とは、文脈に応じ、「のとき（ｗｈｅｎ）」、「している間（ｗｈｉｌｅ）」、「の判定に応じて」と解釈してよい。
【００３０】
関連技術では、ユーザが検索すると、検索ページ内でいくつかの注目キーワードがユーザに提示される。ユーザが注目キーワードを１つ選択してこの注目キーワードの検索を実施することで、ユーザの利用が促進されることになる。しかし、このような実施による解決策では、通常、提示されるキーワードは固定されているため、ユーザの実際の状況に応じてカスタマイズされた提示を行うことができない。そのため、提示されるキーワードの的確性は低い。
先の問題を解決するために、本願は、提示するキーワードの的確性を向上させるキーワード提示の解決策を提供する。
【００３１】
図１は、本願の例示の実施の形態によるキーワード提示方法のフローチャートである。
図１を参照すると、前記キーワード提示方法はサーバ端末に適用でき、以下のステップを含む。
【００３２】
ステップ１０１：検索ページの提示要求を受信する。ここで、提示要求は対象位置情報を含む。
この実施の形態では、ユーザは端末を使って検索ページの提示要求を入力することができる。端末は、検索ページの提示要求を受信した後に現在の位置情報を取得し、続いて、検索ページの提示要求に対象位置情報として含まれている現在の位置情報を、サーバ端末へ送信することができる。ユーザは対象位置情報を自己定義することもできる。例えば、端末はユーザが選択した位置情報を取得し、次に、検索ページの提示要求に対象位置情報として含まれる、ユーザが選択したこの位置情報をサーバ端末へ送信する。
【００３３】
ステップ１０２：前記対象位置情報に適合する第１の領域内の第１の条件を満たす検索人気度を有するキーワードは、第１のキーワードとして取得される。
この実施の形態では、第１の領域は、対象位置情報が属する地理的領域であってよい。例えば、第１の領域は、対象位置情報が属する市や省などの行政区域である。検索人気度は、予め設定された期間における検索回数又は検索頻度であってよく、例えば、直近２４時間における検索回数であってよい。第１の条件は開発者によって設定されてよく、例えば、検索人気度がトップＮにランクインしており、ここで、Ｎは１よりも大きい又は１に等しい自然数である。
【００３４】
このステップでは、サーバ端末は提示要求を受信した後に、対象位置情報が属する行政区域で検索人気度がトップＮにランクインしたキーワードを取得し、取得したキーワードを第１のキーワードとして用いることができる。第１のキーワードの数はＮである。
【００３５】
ステップ１０３：第１のキーワードを検索ページに提示する。
この実施の形態では、サーバ端末が第１のキーワードを端末へ返すことにより、端末が第１のキーワードを検索ページ内に提示できるようにする。
【００３６】
先に述べた説明から、本願は、対象位置情報に適合する第１の領域の第１の条件を満たす検索人気度を有するキーワードを、第１のキーワードとして用い、この第１のキーワードを検索ページに提示できる。こうすることで、種々のキーワードを種々の対象位置に基づいてユーザへ提示できるため、カスタマイズされたキーワード提示を実現でき、キーワード提示の的確性が向上し、ユーザの検索体験が向上する。
【００３７】
図２は、本願の例示の実施の形態による別のキーワード提示方法のフローチャートである。
図２を参照すると、キーワード提示方法はサーバ端末に適用でき、以下のステップを含む。
【００３８】
ステップ２０１：検索ページの提示要求を受信する。ここで、提示要求は対象位置情報を含む。
この実施の形態では、情報を検索する必要がある場合に、ユーザは端末にインストールしたアプリを使用して情報を検索できる。例えば、ユーザが検索ページの提示要求を入力した後に、端末がサーバ端末から検索ページを取得し、この検索ページをユーザに提示して、ユーザがこの検索ページを検索で使用できるようにする。
【００３９】
このステップでは、ユーザは、検索機能を有効にする手段、検索入力ボックスをクリックする手段、又はその他の手段によって、検索ページの提示要求を入力できる。例えば、ユーザの端末に検索アプリがインストールされていると仮定した場合、ユーザがこのアプリを開くと、ユーザにより入力された検索ページの提示要求が受信されたとみなされる。更に、検索機能を持つアプリ（例えば、Ａｌｉｐａｙ（商標）Ｗａｌｌｅｔ）がユーザの端末にインストールされていると仮定した場合、ユーザがＡｌｉｐａｙ（商標）Ｗａｌｌｅｔを開くと、その機能ページが提示され、通常は、この機能ページ内に検索機能を有効にする検索ボタンが提示される。ユーザがＡｌｉｐａｙ（商標）Ｗａｌｌｅｔを介して検索したい場合には、ユーザは検索ボタンをクリックして、検索ページの提示要求を入力できる。
【００４０】
この実施の形態では、対象位置情報は端末の現在の位置情報、又はユーザが選択した位置情報であってよい。具体的には、このステップにおいて、検索ページの提示要求を受信した後に、端末が現在の位置情報を取得し、次に、検索ページの提示要求に含まれている現在の位置情報を対象位置情報としてサーバ端末へ送信できる。任意ではあるが、端末が検索ページの提示要求を受信した後に、取得した現在の位置情報が、先に記録された位置情報と異なる場合には、端末が、プロンプト情報を生成して、これをユーザへ送信する。これにより、ユーザが位置情報を選択し、検索ページの提示要求に含まれている、ユーザが選択したこの位置情報を対象位置情報としてサーバ端末へ送信する。
【００４１】
ステップ２０２：対象位置情報に適合する第１の領域内の第１の条件を満たす検索人気度を有するキーワードを第１のキーワードとして取得する。
この実施の形態では、第１の領域は、対象位置情報が属する地理的領域であってよい。例えば、第１の領域は、対象位置情報が位置する市又は省のような行政区域である。検索人気度は、予め設定された期間における検索回数又は検索頻度であってよく、例えば、直近２４時間における検索回数であってよい。第１の条件は、例えば検索人気度がトップＮにランクインするなど、開発者が設定できるが、本願ではこれを特に限定しない。
【００４２】
このステップにおいて、提示要求を受信した後に、サーバ端末は、対象位置情報が属する行政区域内で検索人気度がトップＮにランクインしたキーワードを第１のキーワードとして取得する。例えば、サーバ端末は、対象位置が属する市内で、直近２４時間以内に検索人気度がトップ３にランクインしたキーワードを、第１のキーワードとして取得する。こうすることで、対象位置情報が属する行政区域内で現在人気が高いキーワードがユーザに提示されるため、キーワード提示の的確性が向上する。
【００４３】
ステップ２０３：対象位置情報に適合する第２の領域内で第２の条件を満たす頻度指数を有するサービス提供者の予め設定された情報を第２のキーワードとして取得する。
【００４４】
この実施の形態では、サーバ端末は、提示要求を受信した後に、更に、対象位置情報に適合する第２の領域をオフライン統計に従って判定し、第２の領域内の第２の条件を満たす頻度指数を有するサービス提供者の予め設定された情報を第２のキーワードとして取得する。
【００４５】
第２の領域は、対象位置情報が属する地理グリッド、又は、近接する地理グリッドであってよい。頻度指数は、サービス提供者の人気度や称賛率（applause rate）などの特徴に従って計算して得たパラメータであってよい。サービス提供者は業者であってよい。第２の条件も、例えば頻度指数がトップＭにランクインされているなど、開発者によって設定されてもよい。ここで、Ｍは１より大きい又は１に等しい自然数である。
【００４６】
この実施の形態において、サーバ端末は、サービス提供者の位置情報に従って地理グリッドを生成できる。具体的には、サーバ端末は、全ての業者の位置情報について統計をとり、位置情報に従って、ＧｅｏＨａｓｈアルゴリズムを介して複数の地理グリッドを生成できる。ここで、各地理グリッドは１つ又は複数のサービス提供者を含む。例えば、サーバ端末は、全国にわたり業者の位置情報について統計をとり、地理グリッドの辺長を２キロメートルと設定し、次に、ＧｅｏＨａｓｈアルゴリズムを用いて生成した複数の地理グリッドに全ての業者をマッピングすることができる。
【００４７】
この実施の形態において、サーバ端末は、ＴＦ‐ＩＤＦ（term frequency - inverse document frequency、用語の出現頻度‐逆文書頻度）アルゴリズムに従って各サービス提供者の頻度指数を計算することができる。具体的に、ＴＦ‐ＩＤＦアルゴリズムはＴＦ（term frequency、用語の出現頻度）とＩＤＦ（inverse document frequency、逆文書頻度）を乗算した積を計算し、又、この実施の形態において、サービス提供者の頻度指数は、サービス提供者の用語の出現頻度とサービス提供者の逆文書頻度を乗算した積に等しい。具体的に、サービス提供者は通常は業者であり、ＴＦは業者のブランド人気度やブランド称賛率のような情報の加重和に等しく、ＩＤＦは全ての地理グリッドにおける業者ブランドの出現頻度の繰り返しに等しい。ＩＤＦを使って一般業者ブランドを格下げしたり、地域の特色的な業者ブランドを強調したりすることができる。ＴＦとＩＤＦを乗算すると各業者ブランドの頻度指数が得られる。ＴＦ‐ＩＤＦアルゴリズムに関与する文書は全ての地理グリッドを参照する。
【００４８】
このステップにおいて、前記対象位置情報に適合する第２の領域内の第２の条件を満たす頻度指数を有するサービス提供者の予め設定された情報を第２のキーワードとして取得するステップは、以下の３つのケースを含んでもよい。
【００４９】
第１のケースでは、対象位置情報に適合する第２の領域は、この対象位置情報が属する地理グリッドである。
このようなケースでは、サーバ端末は、まず、対象位置情報が属する地理グリッドを判定し、次に、地理グリッド内の全てのサービス提供者を頻度指数の降順にて順序付けし、トップＭにランクインしたサービス提供者を選択し、Ｍ人のサービス提供者の予め設定された情報を第２のキーワードとして使うことができる。サービス提供者の予め設定された情報は、概してサービス提供者のブランド情報（ショップ名、ロゴなど）である。
【００５０】
第２のケースでは、対象位置情報に適合する第２の領域は、この対象位置情報付近の１つ又は複数の地理グリッドである。
このケースでは、対象位置情報がどの地理グリッドにも属さない場合には、この対象位置情報付近の１つ又は複数の地理グリッドを選択できる。次に、１つ又は複数の地理グリッド内の全てのサービス提供者を頻度指数の降順にて順序付けし、トップＭにランクインしたサービス提供者を選択し、Ｍ人のサービス提供者の予め設定された情報を第２のキーワードとして使用する。例えば、サーバ端末で、対象位置情報に近接する８個の地理グリッドを選択し、８個の地理グリッド内のＭ人のサービス提供者の予め設定された情報を頻度指数の降順にて第２のキーワードとして選択できる。
【００５１】
第３のケースでは、対象位置情報に適合する第２の領域は第１の領域である。
このケースでは、対象位置情報がどの地理グリッドにも属さない場合には、この対象位置情報に適合する第１の領域を選択できる。次に、第１の領域内の全てのサービス提供者を頻度指数の降順にて順序付けし、トップＭにランクインしたサービス提供者を選択し、Ｍ人のサービス提供者の予め設定された情報を第２のキーワードとして使用できる。例えば、サーバ端末で、対象位置情報が属する市内のＭ人のサービス提供者の予め設定された情報を、頻度指数の降順にて、第２のキーワードとして選択できる。
【００５２】
上述から、本願は、地理グリッドを１単位として用いて全てのサービス業者の頻度指数の統計をとり、対象位置情報が属する地理グリッド内、又は、ユーザ付近の地理グリッド内の高い頻度指数を持つサービス提供者の予め設定された情報を、第２のキーワードとしてユーザに提示することもでき、これにより、キーワード提示の的確性が向上する。
【００５３】
この実施の形態では、先に述べたステップ２０２、２０３の実行順序を限定しないことに留意されたい。実際には、ステップ２０３をステップ２０２の前に実行してもよい。
【００５４】
ステップ２０４：第１のキーワードと第２のキーワードを検索ページに提示する。
先のステップ２０２、２０３に基づいて、第１のキーワードと第２のキーワードとを取得した後に、サーバ端末は第１のキーワードと第２のキーワードとを端末へ返し、これにより、端末が検索ページ内に第１のキーワードと第２のキーワードとを提示できるようにする。
【００５５】
図３は、本願の例示の実施の形態によるキーワード提示の適用シナリオの概略図である。
図３を参照すると、ユーザは、モバイルフォン（又は、別の端末デバイス）を使用してＡｌｉｐａｙ（商標）Ｗａｌｌｅｔのアプリを開き、Ａｌｉｐａｙ（商標）Ｗａｌｌｅｔの機能ページの「Ｅｘｐｌｏｒｅ」をクリックする。「Ｅｘｐｌｏｒｅ」のクリック動作が確認されると、ユーザにより入力された検索ページの提示要求は受信された、と見なされる。モバイルフォンは、提示要求に含まれている対象位置情報をサーバ端末へ送信することで、サーバ端末から検索ページを取得し、この検索ページをユーザに提示する。
【００５６】
図４は、本願の例示の実施の形態による別のキーワード提示方法のフローチャートであり、これは図３に示す使用シナリオに対応する。図４を参照すると、キーワード提示方法はサーバ端末に適用され、以下のステップを含む。
【００５７】
ステップ４０１：検索ページの提示要求を受信する。ここで、提示要求は対象位置情報を含む。
【００５８】
ステップ４０２：対象位置情報が属する市内でトップ３にランクインした検索人気度を有するキーワードを第１のキーワードとして取得する。
この実施の形態では、対象位置情報が「Ｚｈｏｎｇｇｕａｎｃｕｎ（中関村）」である場合、このステップでは、サーバ端末は、北京市内で２４時間以内にトップ３にランクインした検索人気度を持つ第１のキーワードを取得する。トップ３の第１のキーワードはそれぞれ「Ｓｉｅｂｅｌ」、「Ｄｉａｏｙｅ  Ｓｉｒｌｏｉｎ」、「ｃａｆｅ」である。
【００５９】
ステップ４０３：対象位置情報が属する地理グリッド内の２つの業者のブランド情報を、頻度指数の降順にて第２のキーワードとして選択する。
この実施の形態では、Ｚｈｏｎｇｇｕａｎｃｕｎ（中関村）が属する地理グリッドから選択された２つの業者は「Ｍｉｄｄｌｅ  ８ｔｈ  Ｒｅｓｔａｕｒａｎｔ」と「Ｓｐｉｃｅ  Ｓｐｉｒｉｔ」である。
【００６０】
ステップ４０４：３つの第１のキーワードと２つの第２のキーワードを検索ページに提示する。
このステップでは、ステップ４０２、４０３に基づき、サーバ端末が「Ｓｉｅｂｅｌ」、「Ｄｉａｏｙｅ  Ｓｉｒｌｏｉｎ」、「ｃａｆｅ」、「Ｍｉｄｄｌｅ  ８ｔｈ  Ｒｅｓｔａｕｒａｎｔ」、「Ｓｐｉｃｅ  Ｓｐｉｒｉｔ」をモバイルフォンへ返し、モバイルフォンが検索ページにこの５つのキーワードを提示できるようにする。
【００６１】
図４に示すこの実施の形態では、サーバ端末が図２に示す前出の方法にて提供された方法を用いて、キーワード提示を実施できるが、ここでは詳述しない。
【００６２】
本願は、前出のキーワード提示方法の実施に対応するキーワード提示装置の実施の形態を更に提供する。
本願におけるキーワード提示装置の実施の形態をサーバ端末に適用できる。この装置の実施の形態は、ソフトウェア又はハードウェアを用いて実施できる、又は、ソフトウェアとハードウェアを組み合わせた方法で実施できる。ソフトウェア実装を一例にとると、論理的な意味での装置は、装置が設置されているサーバ端末のプロセッサが対応するコンピュータプログラム命令を不揮発性記憶デバイスからメモリへ読み出した後に形成されて、この命令を実行する。ハードウェアに関しては図５に示す。図５は、本願による、キーワード提示装置を設けたサーバ端末のハードウェア構造図である。図５に示すプロセッサ、メモリ、ネットワークインターフェース、及び不揮発性記憶デバイスに加え、この実施の形態の装置が配置されるサーバ端末は、通常、サーバ端末の実際の機能に従って他のハードウェアを更に含んでよいため、ここでは詳述しない。
【００６３】
図６を参照すると、図６は、本願の例示の実施の形態によるキーワード提示装置の概略構造図である。キーワード提示装置６００は、要求受信部６０１、第１の取得部６０２、ページ提示部６０３、第２の取得部６０４、グリッド生成部６０５、及び指数演算部６０６を含んでよい。
【００６４】
要求受信部６０１は検索ページの提示要求を受信するように構成されており、ここで、提示要求には対象位置情報が含まれる。
第１の取得部６０２は、対象位置情報に適合する第１の領域内の第１の条件を満たす検索人気度を有するキーワードを第１のキーワードとして取得するように構成されている。
ページ提示部６０３は、検索ページ内に第１のキーワードを提示するように構成されている。
第２の取得部６０４は、対象位置情報に適合する第２の領域内の第２の条件を満たす頻度指数を有する、サービス提供者の予め設定された情報を第２のキーワードとして取得するように構成されている。
ページ提示部６０３は、第１のキーワードと第２のキーワードを検索ページ内に提示するように更に構成されている。
グリッド生成部６０５は、前記サービス提供者の位置情報に従って複数の地理グリッドを生成するように構成され、前記対象位置情報に適合する前記第２の領域は、前記対象位置情報が属する地理グリッドである。
【００６５】
任意で、前記対象位置情報がどの地理グリッドにも属さない場合には、前記対象位置情報に適合する前記第２の領域は：
前記対象位置情報に近接する１つ又は複数の地理グリッドである。
任意で、前記対象位置情報がどの地理グリッドにも属さない場合には、前記対象位置情報に適合する前記第２の領域は：
前記第１の領域である。
任意で、前記グリッド生成部６０５は、具体的には、ＧｅｏＨａｓｈアルゴリズムを介し、前記サービス提供者の前記位置情報に従って、前記複数の地理グリッドを生成するように構成される。
指数演算部６０６は、各サービス提供者の頻度指数をＴＦ‐ＩＤＦアルゴリズムに従って計算するように構成される。
任意で、前記検索人気度は、予め設定された期間内における検索回数又は検索頻度である。
任意で、前記対象位置情報は、現在の位置情報、又は、ユーザが選択した位置情報である。
任意で、前記第１の領域は、前記対象位置情報が属する地理的領域である。
【００６６】
本装置内の全ての各部の機能及び効果の実施工程については、先に述べた方法における対応するステップを参照されたい。したがって、ここでは詳細について繰り返さない。
【００６７】
基本的に、本装置の実施の形態は本方法の実施の形態に対応する。したがって、関連する各部については本方法の実施の形態の説明を参照することができる。説明した本装置の実施の形態は概略的なものでしかなく、別個の部分として説明された各部は物理的に分離していても、していなくてもよい。各部として示す部分は物理的な各部であっても、そうでなくてもよく、つまり、この部分は１ヶ所に配置されても、複数のネットワーク部上に分散配置されていてもよい。一部又は全てのモジュールは、本願の解決策の目的を実施するために、実際の要請に従って選択されてよい。当業者は、創作的な努力を払うことなく、本願を理解し、これを実施することができる。
【００６８】
上記は、本願の好ましい実施の形態であるが、本願を限定することを意図するものではない。本願の精神および原理の範囲内でなされた任意の修正、均等物の置換、改善などは、本願の保護範囲に含まれるものである。
［第１の局面］
キーワード提示方法であって：
検索ページの提示要求を受信するステップであって、前記提示要求が対象位置情報を含む、受信するステップと；
前記対象位置情報に適合する第１の領域内の第１の条件を満たす検索人気度を有するキーワードを、第１のキーワードとして取得するステップと；
前記第１のキーワードを前記検索ページ内に提示するステップと；を備える、
キーワード提示方法。
［第２の局面］
前記対象位置情報に適合する第２の領域内の第２の条件を満たす頻度指数を有するサービス提供者の予め設定された情報を第２のキーワードとして取得するステップと；
前記第１のキーワード及び前記第２のキーワードを前記検索ページ内に提示するステップと；を更に備える、
第１の局面に記載の方法。
［第３の局面］
取得した前記サービス提供者の位置情報に従って複数の地理グリッドを生成するステップであって、各地理グリッドは１つ又は複数のサービス提供者を含む、生成するステップを更に備え、
前記対象位置情報に適合する前記第２の領域は、前記対象位置情報が属する地理グリッドである、
第２の局面に記載の方法。
［第４の局面］
前記対象位置情報がどの地理グリッドにも属さない場合には、前記対象位置情報に適合する前記第２の領域は：
前記対象位置情報に近接する１つ又は複数の地理グリッドである、
第３の局面に記載の方法。
［第５の局面］
前記対象位置情報がどの地理グリッドにも属さない場合には、前記対象位置情報と適合する前記第２の領域は：
第１の領域である、
第３の局面に記載の方法。
［第６の局面］
前記サービス提供者の位置情報に従って複数の地理グリッドを生成する前記ステップは：
ＧｅｏＨａｓｈアルゴリズムを介し、前記サービス提供者の前記取得した位置情報に従って、前記複数の地理グリッドを生成するステップを備える、
第３の局面に記載の方法。
［第７の局面］
ＴＦ‐ＩＤＦアルゴリズムに従って各サービス提供者の頻度指数を計算するステップを更に備える、
第３の局面に記載の方法。
［第８の局面］
前記検索人気度は、予め設定された期間内の検索回数又は検索頻度である、
第１の局面に記載の方法。
［第９の局面］
前記対象位置情報は、現在の位置情報又はユーザが選択した位置情報である、
第１の局面に記載の方法。
［第１０の局面］
前記第１の領域は、前記対象位置情報が属する地理的領域である、
第１の局面に記載の方法。
［第１１の局面］
キーワード提示装置であって：
検索ページの提示要求を受信するように構成された要求受信部であって、前記提示要求が対象位置情報を含む、要求受信部と；
前記対象位置情報に適合する第１の領域内の第１の条件を満たす検索人気度を有するキーワードを、第１のキーワードとして取得するように構成された第１の取得部と；
前記第１のキーワードを前記検索ページ内に提示するように構成されたページ提示部と；を備える、
キーワード提示装置。
［第１２の局面］
前記対象位置情報に適合する第２の領域内の第２の条件を満たす頻度指数を有するサービス提供者の予め設定された情報を、第２のキーワードとして取得するように構成された第２の取得部を更に備え、
前記ページ提示部は、前記第１のキーワード及び前記第２のキーワードを前記検索ページ内に提示するように更に構成された、
第１１の局面に記載の装置。
［第１３の局面］
前記サービス提供者の取得した位置情報に従って、複数の地理グリッドを生成するように構成されたグリッド生成部であって、各地理グリッドは１つ又は複数のサービス提供者を含む、グリッド生成部を更に備え、
前記対象位置情報に適合する前記第２の領域は、前記対象位置情報が属する地理グリッドである、
第１２の局面に記載の装置。
［第１４の局面］
前記対象位置情報がどの地理グリッドにも属さない場合には、前記対象位置情報に適合する前記第２の領域は：
前記対象位置情報に近接する１つ又は複数の地理グリッドである、
第１３の局面に記載の装置。
［第１５の局面］
前記対象位置情報がどの地理グリッドにも属さない場合には、前記対象位置情報に適合する前記第２の領域は：
前記第１の領域である、
第１３の局面に記載の装置。
［第１６の局面］
前記グリッド生成部は、具体的には、ＧｅｏＨａｓｈアルゴリズムを介し、前記サービス提供者の前記取得した位置情報に従って、前記複数の地理グリッドを生成するように構成された、
第１３の局面に記載の装置。
［第１７の局面］
各サービス提供者の頻度指数をＴＦ‐ＩＤＦアルゴリズムに従って計算するように構成された指数演算部を更に備える、
第１３の局面に記載の装置。
［第１８の局面］
前記検索人気度は、予め設定された期間内における検索回数又は検索頻度である、
第１１の局面に記載の装置。
［第１９の局面］
前記対象位置情報は、現在の位置情報、又は、ユーザが選択した位置情報である、
第１１の局面に記載の装置。
［第２０の局面］
前記第１の領域は、前記対象位置情報が属する地理的領域である、
第１１の局面に記載の装置。
【図１】
0006759252.tif 000002
【図２】
0006759252.tif 000003
【図３】
0006759252.tif 000004
【図４】
0006759252.tif 000005
【図５】
0006759252.tif 000006
【図６】
0006759252.tif 000007